(57)【要約】【課題】画像格納装置に記憶されている複数の画像ファイルを短時間で画像処理装置に送信し、当該複数の画像ファイルを種々の画像解像度でプリントできるようにすることである。【解決手段】画像格納装置２００は、画像処理装置１００に送信する画像ファイルをインデックスプリント用の画像解像度に予め変更し、その後、当該画像解像度が変更された画像ファイルを画像処理装置１００に送信する（ステップＳ１３）。【選択図】          図２
2004343609.tif 000002
【特許請求の範囲】
【請求項１】
画像ファイルを格納する画像格納装置と、当該画像ファイルに対して画像処理を行う画像処理装置とを備えた画像処理システムにおいて、
前記画像格納装置は、前記画像処理の対象となる画像ファイルの画像解像度を指定された値に変更し、
前記画像処理装置は、当該画像解像度が変更された後の画像ファイルに対して画像処理を行うことを特徴とする画像処理システム。
【請求項２】
画像ファイルを格納する画像格納装置と、当該画像ファイルに対して画像処理を行う画像処理装置とを備えた画像処理システムにおいて、
前記画像格納装置は、前記画像処理の対象となる画像ファイルの画像解像度を当該画像処理に必要な値に変更し、
前記画像処理装置は、当該画像解像度が変更された後の画像ファイルに対して画像処理を行うことを特徴とする画像処理システム。
【請求項３】
前記画像処理がインデックスプリントの場合、
前記画像格納装置は、当該インデックスプリントの対象となる画像ファイルの画像解像度を当該インデックスプリントに必要な画像解像度に変更し、
前記画像処理装置は、当該画像解像度が変更された後の画像ファイルを用いて前記インデックスプリントを行うことを特徴とする請求項２に記載の画像処理システム。
【請求項４】
前記画像格納装置は、画像ファイルとともに当該画像ファイルに対応するサムネイル画像ファイルを予め格納し、前記画像処理がインデックスプリントの場合には当該インデックスプリントの対象となる画像ファイルを前記サムネイル画像ファイルの中から選択し、
前記画像処理装置は、当該選択されたサムネイル画像ファイルを用いて前記インデックスプリントを行うことを特徴とする請求項３に記載の画像処理システム。
【請求項５】
前記画像格納装置は、前記画像処理装置に対する指示入力に基づいて画像ファイルを作成するとともに、同一の指示入力に基づいて当該作成した画像ファイルを前記画像処理装置に画像処理させることを特徴とする請求項１〜４のうち何れか一項に記載の画像処理システム。
【請求項６】
前記画像格納装置は、撮像光を取得し当該取得した撮像光を光電変換することにより画像ファイルを作成することを特徴とする請求項１〜５のうち何れか一項に記載の画像処理システム。
【請求項７】
画像ファイルを格納する画像格納装置において、
通信可能に接続された画像処理装置に画像ファイルを画像処理させる際には、当該画像ファイルの画像解像度を指定された値に変更し、当該画像解像度が変更された後の画像ファイルを画像処理用の画像ファイルとして前記画像処理装置に送信することを特徴とする画像格納装置。
【請求項８】
画像ファイルを格納する画像格納装置において、
通信可能に接続された画像処理装置に画像ファイルを画像処理させる際には、当該画像ファイルの画像解像度を当該画像処理に必要な値に変更し、当該画像解像度が変更された後の画像ファイルを画像処理用の画像ファイルとして前記画像処理装置に送信することを特徴とする画像格納装置。
【請求項９】
前記画像処理がインデックスプリントの場合、
前記画像格納装置は、前記画像処理装置に画像ファイルをインデックスプリントさせる際には、当該画像ファイルの画像解像度を当該インデックスプリントに必要な値に変更し、当該画像解像度が変更された後の画像ファイルをインデックスプリント用の画像ファイルとして前記画像処理装置に送信することを特徴とする請求項８に記載の画像格納装置。
【請求項１０】
前記画像格納装置は、画像ファイルとともに当該画像ファイルに対応するサムネイル画像ファイルを予め格納し、通信可能に接続された画像処理装置に画像ファイルをインデックスプリントさせる際には、当該画像ファイルに対応するサムネイル画像ファイルをインデックスプリント用の画像ファイルとして前記画像処理装置に送信することを特徴とする請求項９に記載の画像格納装置。
【請求項１１】
前記画像処理装置に対する指示入力に基づいて画像ファイルを作成するとともに、同一の指示入力に基づいて当該作成した画像ファイルを前記画像処理装置に画像処理させることを特徴とする請求項７〜１０のうち何れか一項に記載の画像格納装置。
【請求項１２】
前記画像格納装置は、撮像光を取得し当該取得した撮像光を光電変換することにより画像ファイルを作成することを特徴とする請求項７〜１１のうち何れか一項に記載の画像格納装置。
【請求項１３】
画像ファイルを格納する画像格納装置を制御するコンピュータに、
前記画像格納装置と通信可能に接続された画像処理装置に対し画像ファイルを画像処理させる際には、当該画像ファイルの画像解像度を指定された値に変更し、当該画像解像度が変更された後の画像ファイルを画像処理用の画像ファイルとして前記画像処理装置に送信する機能を実現させるためのプログラム。
【請求項１４】
画像ファイルを格納する画像格納装置を制御するコンピュータに、
前記画像格納装置と通信可能に接続された画像処理装置に対し画像ファイルを画像処理させる際には、当該画像ファイルの画像解像度を当該画像処理に必要な値に変更し、当該画像解像度が変更された後の画像ファイルを画像処理用の画像ファイルとして前記画像処理装置に送信する機能を実現させるためのプログラム。
【請求項１５】
画像ファイルを格納する画像格納装置を制御するコンピュータに、
前記画像格納装置と通信可能に接続された画像処理装置に対し画像ファイルをインデックスプリントさせる際には、当該画像ファイルの画像解像度を当該インデックスプリントに必要な値に変更し、当該画像解像度が変更された後の画像ファイルをインデックスプリント用の画像ファイルとして前記画像処理装置に送信する機能を実現させるためのプログラム。
【請求項１６】
画像ファイルと、当該画像ファイルに対応するサムネイル画像ファイルとを格納する画像格納装置を制御するコンピュータに、
前記画像格納装置と通信可能に接続された画像処理装置に対し画像ファイルをインデックスプリントさせる際には、当該画像ファイルに対応するサムネイル画像ファイルをインデックスプリント用の画像ファイルとして前記画像処理装置に送信する機能を実現させるためのプログラム。
【請求項１７】
前記コンピュータに、前記画像処理装置に対する指示入力に基づいて画像ファイルを作成するとともに、同一の指示入力に基づいて当該作成した画像ファイルを該画像処理装置に画像処理させる機能を更に実現させるための請求項１３〜１６のうち何れか一項に記載のプログラム。
【請求項１８】
前記画像格納装置が撮像光を取得し当該取得した撮像光を光電変換して画像信号を出力する撮像機能を有する場合には、前記コンピュータに、当該撮像機能を用いて画像ファイルを作成する機能を更に実現させるための請求項１３〜１７のうち何れか一項に記載のプログラム。
【発明の詳細な説明】
【０００１】
【発明の属する技術分野】
本発明は、画像ファイルを格納するデジタルカメラなどの画像格納装置と当該画像ファイルに対して画像処理を行うプリンタなどの画像処理装置によって成る画像処理システムと、前記画像格納装置と、この画像格納装置を制御するためのプログラムに関する。
【０００２】
【従来の技術】
近時、デジタルカメラ等の画像格納装置によって格納された画像ファイルを、ＰＣ（Ｐｅｒｓｏｎａｌ  Ｃｏｍｐｕｔｅｒ）などを介することなく、プリンタ等の画像処理装置に直接送信してプリントなどの画像処理を行う画像処理システムが考案されている（例えば、特許文献１参照。）。
【０００３】
【特許文献１】
特願２０００−１１８０８６号公報
【０００４】
【発明が解決しようとする課題】
しかし、上記従来の技術には、以下に示す問題点がある。すなわち、例えば、画像格納装置に格納されている複数の画像ファイルのインデックス画像が画像処理装置からプリントされるような場合には、画像格納装置は、当該複数の画像ファイルを画像処理装置に送信し、画像処理装置は、当該送信された複数の画像ファイルの画像解像度をインデックス画像用の画像解像度に変更（縮小変更）してインデックス画像をプリント（以下、インデックスプリントという。）する。
したがって、インデックスプリントするだけであっても、画像格納装置から画像処理装置へ送信されるデータ量は大きく、このため、多くのデータ送信時間が必要となり時間の無駄である。
なお、ここで、画像解像度とは、デジタルカメラ等の仕様書に一般的に記載されている記録画素数を示すものである。
【０００５】
本発明の課題は、画像格納装置に格納されている複数の画像ファイルを短時間で画像処理装置に送信し、当該複数の画像ファイルを種々の画像解像度でプリントできる画像処理システム、画像格納装置およびプログラムを提供することである。
【０００６】
【課題を解決するための手段】
上記課題を解決するため、請求項１に記載の発明は、
画像ファイルを格納する画像格納装置と、当該画像ファイルに対して画像処理を行う画像処理装置とを備えた画像処理システムにおいて、
前記画像格納装置は、前記画像処理の対象となる画像ファイルの画像解像度を指定された値に変更し、
前記画像処理装置は、当該画像解像度が変更された後の画像ファイルに対して画像処理を行うことを特徴とする。
【０００７】
また、上記課題を解決するため、請求項２に記載の発明は、
画像ファイルを格納する画像格納装置と、当該画像ファイルに対して画像処理を行う画像処理装置とを備えた画像処理システムにおいて、
前記画像格納装置は、前記画像処理の対象となる画像ファイルの画像解像度を当該画像処理に必要な値に変更し、
前記画像処理装置は、当該画像解像度が変更された後の画像ファイルに対して画像処理を行うことを特徴とする。
【０００８】
さらに、請求項３に記載の発明のように、請求項２に記載の発明において、
前記画像処理がインデックスプリントの場合、
前記画像格納装置は、当該インデックスプリントの対象となる画像ファイルの画像解像度を当該インデックスプリントに必要な画像解像度に変更し、
前記画像処理装置は、当該画像解像度が変更された後の画像ファイルを用いて前記インデックスプリントを行うのが好ましい。
【０００９】
さらに、請求項４に記載の発明のように、請求項３に記載の発明において、
前記画像格納装置は、画像ファイルとともに当該画像ファイルに対応するサムネイル画像ファイルを予め格納し、前記画像処理がインデックスプリントの場合には当該インデックスプリントの対象となる画像ファイルを前記サムネイル画像ファイルの中から選択し、
前記画像処理装置は、当該選択されたサムネイル画像ファイルを用いて前記インデックスプリントを行うのが好ましい。
【００１０】
さらに、請求項５に記載の発明のように、請求項１〜４のうち何れか一項に記載の発明において、
前記画像格納装置は、前記画像処理装置に対する指示入力に基づいて画像ファイルを作成するとともに、同一の指示入力に基づいて当該作成した画像ファイルを前記画像処理装置に画像処理させるのが好ましい。
【００１１】
さらに、請求億６に記載の発明のように、請求項１〜５のうち何れか一項に記載の発明において、
前記画像格納装置は、撮像光を取得し当該取得した撮像光を光電変換することにより画像ファイルを作成するのが好ましい。
【００１２】
また、上記課題を解決するため、請求項７に記載の発明は、
画像ファイルを格納する画像格納装置において、
通信可能に接続された画像処理装置に画像ファイルを画像処理させる際には、当該画像ファイルの画像解像度を指定された値に変更し、当該画像解像度が変更された後の画像ファイルを画像処理用の画像ファイルとして前記画像処理装置に送信することを特徴とする。
【００１３】
また、上記課題を解決するため、請求項８に記載の発明は、
画像ファイルを格納する画像格納装置において、
通信可能に接続された画像処理装置に画像ファイルを画像処理させる際には、当該画像ファイルの画像解像度を当該画像処理に必要な値に変更し、当該画像解像度が変更された後の画像ファイルを画像処理用の画像ファイルとして前記画像処理装置に送信することを特徴とする。
【００１４】
さらに、請求項９に記載の発明のように、請求項８に記載の発明において、
前記画像処理がインデックスプリントの場合、
前記画像格納装置は、前記画像処理装置に画像ファイルをインデックスプリントさせる際には、当該画像ファイルの画像解像度を当該インデックスプリントに必要な値に変更し、当該画像解像度が変更された後の画像ファイルをインデックスプリント用の画像ファイルとして前記画像処理装置に送信するのが好ましい。
【００１５】
さらに、請求項１０に記載の発明のように、請求項９に記載の発明において、
前記画像格納装置は、画像ファイルとともに当該画像ファイルに対応するサムネイル画像ファイルを予め格納し、通信可能に接続された画像処理装置に画像ファイルをインデックスプリントさせる際には、当該画像ファイルに対応するサムネイル画像ファイルをインデックスプリント用の画像ファイルとして前記画像処理装置に送信するのが好ましい。
【００１６】
さらに、請求項１１に記載の発明のように、請求項７〜１０のうち何れか一項に記載の発明において、
前記画像処理装置に対する指示入力に基づいて画像ファイルを作成するとともに、同一の指示入力に基づいて当該作成した画像ファイルを前記画像処理装置に画像処理させるのが好ましい。
【００１７】
さらに、請求項１２に記載の発明のように、請求項７〜１１のうち何れか一項に記載の発明において、
前記画像格納装置は、撮像光を取得し当該取得した撮像光を光電変換することにより画像ファイルを作成するのが好ましい。
【００１８】
また、上記課題を解決するため、請求項１３に記載の発明は、
画像ファイルを格納する画像格納装置を制御するコンピュータに、
前記画像格納装置と通信可能に接続された画像処理装置に対し画像ファイルを画像処理させる際には、当該画像ファイルの画像解像度を指定された値に変更し、当該画像解像度が変更された後の画像ファイルを画像処理用の画像ファイルとして前記画像処理装置に送信する機能を実現させる。
【００１９】
また、上記課題を解決するため、請求項１４に記載の発明は、
画像ファイルを格納する画像格納装置を制御するコンピュータに、
前記画像格納装置と通信可能に接続された画像処理装置に対し画像ファイルを画像処理させる際には、当該画像ファイルの画像解像度を当該画像処理に必要な値に変更し、当該画像解像度が変更された後の画像ファイルを画像処理用の画像ファイルとして前記画像処理装置に送信する機能を実現させる。
【００２０】
また、上記課題を解決するため、請求項１５に記載の発明は、
画像ファイルを格納する画像格納装置を制御するコンピュータに、
前記画像格納装置と通信可能に接続された画像処理装置に対し画像ファイルをインデックスプリントさせる際には、当該画像ファイルの画像解像度を当該インデックスプリントに必要な値に変更し、当該画像解像度が変更された後の画像ファイルをインデックスプリント用の画像ファイルとして前記画像処理装置に送信する機能を実現させる。
【００２１】
また、上記課題を解決するため、請求項１６に記載の発明は、
画像ファイルと、当該画像ファイルに対応するサムネイル画像ファイルとを格納する画像格納装置を制御するコンピュータに、
前記画像格納装置と通信可能に接続された画像処理装置に対し画像ファイルをインデックスプリントさせる際には、当該画像ファイルに対応するサムネイル画像ファイルをインデックスプリント用の画像ファイルとして前記画像処理装置に送信する機能を実現させる。
【００２２】
さらに、請求項１７に記載の発明のように、請求項１３〜１６のうち何れか一項に記載の発明において、
前記コンピュータに、前記画像処理装置に対する指示入力に基づいて画像ファイルを作成するとともに、同一の指示入力に基づいて当該作成した画像ファイルを該画像処理装置に画像処理させる機能を更に実現させるのが好ましい。
【００２３】
更に、請求項１８に記載の発明のように、請求項１３〜１７のうち何れか一項に記載の発明において、
前記画像格納装置が撮像光を取得し当該取得した撮像光を光電変換して画像信号を出力する撮像機能を有する場合には、前記コンピュータに、当該撮像機能を用いて画像ファイルを作成する機能を更に実現させるのが好ましい。
【００２４】
従って、画像格納装置から画像処理装置へ画像ファイルが送信される場合、まずこの画像ファイルは、画像格納装置において画像解像度が変更された後、画像処理装置に送信されるので、画像格納装置から画像処理装置へ送信されるデータ量の低減化が可能となり、画像ファイルの送信時間が削減できる。
すなわち、画像格納装置に記憶されている複数の画像ファイルを短時間で画像処理装置に送信し、当該複数の画像ファイルを種々の画像解像度でプリントできる画像処理システムが実現できる。
【００２５】
【発明の実施の形態】
以下、図１〜図３を参照して、本発明を適用した画像処理システム１について詳細に説明する。
【００２６】
まず、図１を参照して画像処理システム１の構成を説明する。図１に示すように、画像処理システム１は、画像処理装置１００と画像格納装置２００とにより構成される。以下、画像処理装置１００を複合型プリンタとし、画像格納装置２００をデジタルカメラとする。また、以下で説明するが画像処理装置１００と画像格納装置２００との間のデータの送受信は、有線、無線の何れを用いても行うことが可能である。
【００２７】
まず、画像処理装置１００の構成を説明する。
画像処理装置１００は、アンテナ１０１、無線通信制御部１０２、プロセッサ１０３、プリンタ部１０４、スキャナ部１０５、電源１０６、制御部１０７、メモリ１０８、操作部１０９、表示部１１０、ＡＶ端子１１１、ディスク部１１２、有線通信部１１３等を備えて構成される。
【００２８】
アンテナ１０１は、画像ファイルなどを表す各種デジタル信号や各種アナログ信号、各種制御信号（画像処理装置１００や画像格納装置２００を制御するための信号。）を送受信するためのものであり、無線通信制御部１０２は、アンテナ１０１を介して送受信される上記各種信号に対する変調・復調を行う。
【００２９】
プロセッサ１０３は、画像ファイルの圧縮・伸長を行い、プリンタ部１０４は、プロセッサ１０３により出力される画像ファイルの画像をプリント出力し、スキャナ部１０５は、図示しない読み取り部にセットされた原稿（例えば、写真や本など。）から画像を読み取って画像ファイルを出力する。
【００３０】
電源１０６は、外部ＡＣ電源からＤＣ電源に変換し、画像処理装置１００の各部に電力を供給する。
【００３１】
制御部１０７は、メモリ１０８に予め格納された各種プログラムを実行して画像処理装置１００を統括的に制御する。制御部１０７は、特に、図２、図３に示す処理シーケンスを行うためのプログラムを実行する。
【００３２】
メモリ１０８は、制御部１０７により実行される各種プログラムや当該プログラム実行時に必要な各種データを格納する。特に、メモリ１０８は、図２、図３に示す処理シーケンスを行うためのプログラムを格納する。
【００３３】
操作部１０９は、画像処理装置１００の操作面に各種入力キー（図示略。）を備え、当該入力キーが押下されることにより画像処理装置１００や画像格納装置２００の動作制御を行うための各種指示入力が行われる。
【００３４】
表示部１１０は、画像処理装置１００の操作面にＬＣＤ（Ｌｉｑｕｉｄ  Ｃｒｙｓｔａｌ  Ｄｉｐｌａｙ）等の表示装置（図示略。）を備え、制御部１０７から送信される各種表示データを当該表示装置に表示する。
【００３５】
ＡＶ端子１１１は、画像処理装置１００の操作面に設けられ、外部ＡＶ機器との間で画像ファイルなどのデータの送受信を行うための端子である。ここで送受信されるデータとは、画像ファイルだけでなく、画像処理装置１００や現在接続中の外部ＡＶ機器の動作制御を行うための各種指示信号等が含まれる。
【００３６】
ディスク部１１２は、画像処理装置１００の操作面に設けられたディスク装着口を介して装着されたＤＶＤ−ＲやＣＤ−Ｒ等のディスクに対し、画像ファイルなどのデータの読み取りや書き込みを行う。
【００３７】
有線通信部１１３は、画像格納装置２００との間で画像ファイルなどのデータの送受信を有線を介して行うためのインタフェースを備える。例えば、有線通信部１１３は、ＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）等によりデータの送受信を行うためのインタフェースを備える。
【００３８】
次に、画像格納装置２００の構成を説明する。
図１に示すように、画像格納装置２００は、レンズ２０１、ＣＣＤ２０２、プロセッサ２０３、無線通信制御部２０４、アンテナ２０５、データ格納部２０６、バッテリ２０７、制御部２０８、メモリ２０９、操作部２１０、表示部２１１、有線通信部２１２等を備えて構成される。
【００３９】
ＣＣＤ２０２は、レンズ２０１を介して入射された撮像画像を電気信号に光電変換し、更に当該電気信号をデジタル形式の画像ファイルに変換し、プロセッサ２０３は、ＣＣＤ２０２や無線通信制御部２０４から入力された画像ファイルの圧縮・伸長を行う。
【００４０】
無線通信制御部２０４は、アンテナ２０５を介して送受信される画像ファイルなどを表す各種デジタル信号や各種アナログ信号、各種制御信号（画像処理装置１００や画像格納装置２００の動作を指示するための信号。）に対する変調・復調を行う。
【００４１】
データ格納部２０６は、プロセッサ２０３から入力された画像ファイルなどのデータを格納する書き込み／読み出し自在なメモリである。
【００４２】
制御部２０８は、メモリ２０９に格納された各種プログラムを実行して画像格納装置２００を統括的に制御する。制御部２０８は、特に、図２、図３に示す処理シーケンスを行うためのプログラムを実行する。
【００４３】
メモリ２０９は、制御部２０８により実行される各種プログラムや当該プログラム実行時に必要な各種データを格納する。特に、メモリ２０９は、図２、図３に示す処理シーケンスを行うためのプログラムを格納する。
【００４４】
操作部２１０は、図示しない各種入力キー、例えば、撮影指示を入力するためのレリーズスイッチなどを備える。操作部２１０は、これら各種入力キーが押下されることにより画像格納装置２００や画像処理装置１００の動作制御を行うための各種指示入力が行われる。
【００４５】
表示部２１１は、図示しないＬＣＤ等の表示装置を備え、制御部２０８から送信される各種表示データを当該表示装置に表示する。また、表示部２１１は、レンズ２０１を介して入力された撮像画像を連続的に表示するファインダとしての機能も有する。
【００４６】
有線通信部２１２は、画像処理装置１０との間で画像ファイルなどのデータの送受信を有線を介して行うためのインタフェースを備える。例えば、有線通信部２１２は、ＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）等によりデータの送受信を行うためのインタフェースを備える。
【００４７】
次に、図２、図３を参照して画像処理システム１の動作を説明する。
【００４８】
まず、図２に基づいて説明する。ここでは、画像格納装置２００が、画像処理装置１００に対してインデックスプリントの実行を要求する。
【００４９】
はじめに、操作者が画像格納装置２００に対し、画像格納装置２００に格納されている画像ファイル（指定された画像ファイル）の画像をインデックスプリントする旨の指示を操作部２１０を介して入力する。
【００５０】
その入力指示に応じて、画像格納装置２００の制御部２０８は画像処理装置１００の制御部１０７との間でネゴシエーションを行う（ステップＳ１０）。ここで、ネゴシエーションとは、画像処理装置１００と画像格納装置２００との間で、互いに利用可能な機能を確認し合い、必要に応じてクライアント／サーバの設定を相互に行うことによってデータ処理の前準備を行うことを意味する。
【００５１】
ネゴシエーションが完了した後、制御部２０８は、画像処理装置１００に対し、データ格納部２０６に格納された複数の画像ファイルのうち、操作部２１０を介して指定された画像ファイルの画像をインデックスプリントする旨を通知する（ステップＳ１１）。制御部２０８は、さらに、インデックスプリント用の画像解像度を画像処理装置１００に問い合わせるとともに、インデックスプリントを行う画像枚数と、対応する画像ファイルのファイル名と、画像ファイルの送信順およびプリント順とを表す情報（以下、送信情報という。）を画像処理装置１００に送信する。
【００５２】
ステップＳ１１の後、制御部１０７は、画像格納装置２００から問い合わせのあったインデックスプリント用の画像解像度を画像格納装置２００に送信する（ステップＳ１２）。
【００５３】
ステップＳ１２の後、制御部２０８は、画像処理装置１００から送信されたインデックスプリント用の画像解像度に基づいて、インデックスプリントを行う画像ファイルの画像解像度を変更し、当該画像解像度が変更された後の画像ファイルを画像処理装置１００に送信する（ステップＳ１３）。ここで、制御部２０８は、画像ファイルに対して画像解像度の変更を行い、当該画像解像度が変更された後の画像ファイルを画像処理装置１００に送信するという一連の処理を一つの画像ファイル毎に繰り返し行う。
【００５４】
なお、この場合、画像格納装置２００は撮影時（すなわち、画像ファイル作成時）にサムネイル画像ファイルも作成しておき、当該サムネイル画像ファイルをインデックスプリントを行う画像ファイルとして画像処理装置１００に送信するようにしても良いし、また、このサムネイル画像ファイルに対して画像解像度変更を行い、当該画像解像度変更されたサムネイル画像ファイルを画像処理装置１００に送信するようにしても良い。
【００５５】
ここで、サムネイル画像ファイルとは、一般にデジタルカメラ等が備えるＬＣＤ上で画像確認を行うために、高速に画像表示させるために用意されている画像ファイルを意味し、通常の画像ファイルに対して例えば１／８倍程度の画素数になっているが、これに限定されるものではない。また、予め用意されている複数の画像解像度の中から画像処理装置１００から要求されている画像解像度に近いものを選択して送信する場合、画像解像度を画像処理装置１００側で最終的に決定できるような構成であっても本発明の目的は達成できる。
【００５６】
その後、制御部１０７は、上記送信情報を参照して、画像格納装置２００から送信された画像ファイルを確認し、全ての画像ファイルの受信が完了すると（あるいは、一つの画像ファイルの受信が完了する毎に）、受信完了通知を画像格納装置２００に送信する（ステップＳ１４）。
【００５７】
制御部１０７は、ステップＳ１４において全ての画像ファイルの受信が完了すると、当該受信した画像ファイルが表す画像をインデックスプリントし（ステップＳ１５）、当該インデックスプリントが完了すると完了通知を画像格納装置に送信する（ステップＳ１６）。
【００５８】
次に、図３に基づいて説明する。ここでは、画像処理装置１００が、画像格納装置２００に対してインデックスプリントを行う画像ファイルの送信を要求し、当該画像ファイルの画像をインデックスプリントする。
【００５９】
はじめに、操作者が画像処理装置１００に対し、画像格納装置２００に格納されている画像ファイルの画像をインデックスプリントする旨の指示を操作部１０９を介して入力する。
【００６０】
その入力指示に応じて、画像処理装置１００の制御部１０７は画像格納装置２００の制御部２０８との間でネゴシエーションを行う（ステップＳ２０）。
【００６１】
ネゴシエーションが完了した後、制御部１０７は、画像格納装置２００に対し、画像格納装置２００に格納されている画像ファイルの画像をインデックスプリントする旨の通知を行う。この際、制御部１０７は、画像処理装置１００に対し、インデックスプリント用の画像解像度を通知するとともに、インデックスプリントする画像ファイルの送信要求を行う（ステップＳ２１）。インデックスプリントする画像ファイルのファイル名が予め操作者に知られているような場合には、制御部２０８は、操作者により入力された画像ファイル名を画像処理装置１００に送信して当該画像ファイル名の画像の送信要求を行うことも可能である。
【００６２】
ステップＳ２１の後、制御部２０８は、画像処理装置１００から送信されたインデックスプリント用の画像解像度に基づいて、インデックスプリントを行う画像ファイルに対して画像解像度を変更し、当該画像解像度が変更された後の画像ファイルを画像処理装置１００に送信する（ステップＳ２２）。ここで、制御部２０８は、画像ファイルに対して画像解像度の変更を行い、当該画像解像度が変更された後の画像ファイルを画像処理装置１００に送信するという一連の処理を一つの画像ファイル毎に繰り返し行う。
また、この際、制御部２０８は、インデックスプリントを行う画像枚数と、対応する画像ファイルのファイル名と、画像ファイルの送信順およびプリント順とを表す送信情報も画像処理装置１００に送信する。
【００６３】
なお、この場合、画像格納装置２００は撮影時（すなわち、画像ファイル作成時）にサムネイル画像ファイルも作成しておき、当該サムネイル画像ファイルをインデックスプリントを行う画像ファイルとして画像処理装置１００に送信するようにしても良いし、また、このサムネイル画像ファイルに対して画像解像度の変更を行い、当該画像解像度変更されたサムネイル画像ファイルを画像処理装置１００に送信するようにしても良い。
【００６４】
その後、制御部１０７は、上記送信情報を参照して、画像格納装置２００から送信された画像ファイルを確認し、全ての画像ファイルの受信が完了すると（あるいは、一つの画像ファイルの受信が完了する毎に）、受信完了通知を画像格納装置２００に送信する（ステップＳ２３）。
【００６５】
制御部１０７は、ステップＳ２３において全ての画像ファイルの受信が完了すると、当該受信した画像ファイルの画像をインデックスプリントし（ステップＳ２４）、当該インデックスプリントが完了すると完了通知を画像格納装置に送信する（ステップＳ２５）。
【００６６】
以上説明したように、画像格納装置２００は、画像処理装置１００に送信する画像ファイルをインデックスプリント用の画像解像度に予め変更し、その後、当該画像解像度が変更された画像ファイルを画像処理装置１００に送信する。
【００６７】
従って、画像格納装置２００から画像処理装置１００へ画像ファイルが送信される場合、まずこの画像ファイルは、画像格納装置２００において画像解像度が変更された後、画像処理装置１００に送信されるので、画像格納装置２００から画像処理装置１００へ送信されるデータ量の低減化が可能となり、画像ファイルの送信時間が削減できる。
【００６８】
なお、本実施の形態における記述は、本発明に係る画像処理システム、画像格納装置およびプログラムの一例を示すものであり、これに限定されるものではない。本実施の形態における画像処理システム１の細部構成および詳細動作に関しては、本発明の趣旨を逸脱しない範囲で適宜変更可能である。
【００６９】
例えば、本実施例では、画像処理装置１００を複合型プリンタに想定し、画像格納装置２００をデジタルカメラに想定したが、これに限るものではない。
【００７０】
また、本実施例では、インデックスプリントを行う場合についてのみ説明したが、これに限らず、種々の画像解像度でプリントを行う場合についても、本発明は適用可能である。
【００７１】
【発明の効果】
本発明によれば、画像格納装置から画像処理装置へ画像ファイルが送信される場合、まずこの画像ファイルは、画像格納装置において画像解像度が変更された後、画像処理装置に送信されるので、画像格納装置から画像処理装置へ送信されるデータ量の低減化が可能となり、画像ファイルの送信時間が削減できる。
すなわち、画像格納装置に記憶されている複数の画像ファイルを短時間で画像処理装置に送信し、当該複数の画像ファイルを種々の画像解像度でプリントできる画像処理システムが実現できる。
【図面の簡単な説明】
【図１】本発明を適用した画像処理システムの構成を示すブロック図である。
【図２】本発明を適用した画像処理システムによって行われる処理シーケンスを示す図である。
【図３】本発明を適用した画像処理システムによって行われる処理シーケンスを示す図である。
【符号の説明】
１  画像処理システム
１００  画像処理装置
１０１、２０５  アンテナ
１０２、２０４  無線通信制御部
１０３、２０３  プロセッサ
１０４  プリンタ部
１０５  スキャナ部
１０６  電源
１０７、２０８  制御部
１０８、２０９  メモリ
１０９、２１０  操作部
１１０、２１１  表示部
１１１  音声出力部
１１１  ＡＶ端子
１１２  ディスク部
１１３、２１２  有線通信部
２００  画像格納装置
２０１  レンズ
２０２  ＣＣＤ
２０６  データ格納部
２０７  バッテリ
【図１】
2004343609.tif 000003
【図２】
2004343609.tif 000004
【図３】
2004343609.tif 000005